(57)【特許請求の範囲】
【請求項１】
コンテナの開口部に平面状に張設する不織布と、その不織布と空間を成すように被装している防水性シートとからなり、前記不織布の縁部は、その一部が対向する防水性シートの縁部と固着しており、さらに、前記不織布と防水性シートは適宜適所においても固着しているコンテナ用オーバーシート。
【請求項２】
コンテナの開口部に平面状に張設する不織布と、その不織布上に屋根型に形成した防水性シートとからなり、前記不織布の縁部は、その一部が対向する防水性シートの縁部と固着しているコンテナ用オーバーシート。
【請求項３】
請求項２において、前記固着している縁部間を湾曲に装架する棒材を設け、その棒材によって防水性シートを屋根型に形成していることを特徴とするコンテナ用オーバーシート。
【請求項４】
前記棒材は、防水性シートに対して着脱可能である請求項３記載のコンテナ用オーバーシート。
【請求項５】
請求項１から４において、さらに、そのシートの縁部にコンテナとの固定部材を設けたコンテナ用オーバーシート。
【発明の詳細な説明】
【０００１】
【発明が属する技術分野】
本発明は、屋外で使用するコンテナ等に被せて使用するオーバーシートであって、特に、風乾のために屋外に放置する種芋用コンテナに使用するものである。
【０００２】
【従来の技術】
従来から、種芋の保存には、種芋コンテナが採用されている。図５は、一般的な種芋コンテナを示したものであって、骨格部分としての金属製の枠１６に、風乾を行うため通気性の良い鉄鋼の網１７が側面及び底面に張られている。そして、この種のコンテナは、通常、上蓋がないので、雨天や露を避けるために、ビニールシート等を掛けてそれに代用している。
【０００３】
しかしながら、雨が降り、その後晴天となると、ビニールシートが被せられたコンテナ内では、種芋から蒸気が発生し、これがビニールシートに結露する結果、水滴がシートから滴下する。かかる水滴の滴下は、芋の腐食を引き起こし、種芋として使用できなくなってしまう。
【０００４】
本願発明は、上記課題を解決することを目的としたものであって、雨天及び晴天が繰り返されても、コンテナ内に水滴が滴下しないシート構造について開示する。
【０００５】
【課題を解決するための手段】
本発明では、上記目的を達成するために、従来のビニールシート等と種芋の間に不織布が介在するようにし、シートから滴下する水滴が種芋へかからないようにする事とした。すなわち、コンテナ用オーバーシートにおいて、コンテナの開口部に平面状に張設する不織布と、その不織布と空間を成すように被装している防水性シートとから構成し、前記不織布の縁部は、その一部が対向する防水性シートの縁部と固着し、前記不織布と防水性シートは適宜適所においても固着することとした。このような手段を採用すると、種芋から発生する蒸気は、不織布を通過するが、防水性シートに溜まる水滴は、不織布により阻止されるので、種芋には影響を与えないこととなる。さらに、防水性シートと不織布の間に空間を形成するようにしたことにより、防水性シートから徐々に水分が不織布に浸透することもなく、その滴下防止効果をより完全なものにしている。加えて、このように、縁部の一部においてのみ、防水性シートと固着しているので、長期間に渡って使用するとたるみが生じ、ひどい場合には、不織布と防水性シートが完全に吸着してしまい、その効果も半減する。そこで、当該オーバーシートの適宜適所においても、不織布と防水性シートを固着し、シートと不織布の間でたるみが生じないようにした。
【０００６】
また、上記目的を解決するための第二の手段として、コンテナ用オーバーシートにおいて、コンテナの開口部に平面状に張設する不織布と、その不織布上に屋根型に形成した防水性シートとからなり、前記不織布の縁部は、その一部が対向する防水性シートの縁部と固着しているようにした。このような手段を採用すると、防水性シートは、強風や強雨等の外的圧力にあっても、不織布に吸着することが無く、加えて、コンテナ内に溜まった蒸気も拡散しやすくなるので、都合がよい。
【０００７】
また、前記防水性シートを屋根型に形成する一手段として、前記固着している縁部間を湾曲に装架する棒材を設け、その棒材によって防水性シートを屋根型に形成することとした。
【０００８】
さらに、オーバーシートを使用しないときに当該オーバーシートを保存しやすいよう、棒材を脱着可能にするという手段を採用した。
【０００９】
加えて、当該コンテナ用オーバーシートは、コンテナに装着して野外に放置するものであるから、風によってが飛ばされてしまわないように、シートの縁部分に、コンテナとの固定部材を設けるという手段を採用した。
【００１０】
【発明の実施の形態】
以下、本発明の好ましい実施形態について、添付した図面に従って説明する。図１は、本発明の第一の実施例であって、１は不織布を、２はその不織布と空間を成すように被装した防水性シートを、そして、３・３は、不織布と防水性シートの固着した縁の部分を、４は不織布と防水性シートの間を成している空間をそれぞれ示している。本実施形態の特徴的な構成は、防水性シートと不織布を組み合わせてオーバーシートとし、さらに、両者の間に空間を設けたことである。つまり、防水性シート２から滴下した水滴を不織布１が受け、種芋に水滴が滴下しない構成になっている。さらに、不織布と防水性シートの間の空間は、防水性シートから徐々に不織布へ水滴が浸透するのも防いでいる。本実施例では、単に、防水性シートを不織布に対して余裕をもって被装することにより当然に生じるいわゆる隙間的なものを、この空間としているが、後述するように、棒材等を採用して屋根型とする構成を採用することもできる。尚、ここでいう固着とは、溶着、接着、縫いつけ等、不織布と防水性シートを一体化する技術をいう。
【００１１】
また、本実施形態では、図１中に符号５で示したように、上記縁部３に加えて、さらに、不織布と防水性シートの適当な位置においても固着している。本実施形態の不織布は、四角形の向かい合う２辺においてのみ、防水性シートと固着しているので、長期間に渡って使用するとたるみが生じ、ひどい場合には、不織布と防水性シートが完全に吸着して、不織布に水滴が浸透し、種芋に水滴が滴下してしまう。そこで、上述のようにシートの縁部以外にも固着部分５を設け、不織布と防水性シートの間にたるみが生じないようにしている。図２は、図１の断面図を示したものであるが、不織布と防水性シートの間に、固着部５によって区切られた複数の空間４が生じ、両者がたるむことなく、適切な空間が保たれている。
【００１２】
図３は、本願発明の第二の実施例を示したものであって、６は不織布を、７はその四角形の不織布の向かい合う縁辺と対向する位置において固着している防水性シートを、８はその縁部の固着線部分を、９は不織布と防水性シートの間の空間を、１０は前記固着線８の間を湾曲に装架している棒材を示している。本実施形態の特徴的な構成は、防水性シート７を屋根型にすることによって、不織布６と防水性シート７の間に空間９を構成したことである。特に、本実施例では、棒材１０によって防水性シートが屋根型に形成して、不織布と防水性シートとの間の空間を保っている。
【００１３】
棒材１０の防水性シートへの取り付け方法としては、防水性シート上に帯環１１を設け、当該帯環１１を棒材が挿通するようにしている。この棒材１０は、脱着可能とし、オーバーシートを使用しないときは、棒材をはずしてシートを折り畳むことができる。また、帯環１１の数は特に定めるものではないが、防水性シート７を屋根型に形成するためには、棒材１本に少なくとも３つ、設けるのが好ましい。本実施例の場合は、各棒材に対してそれぞれ３つの帯環を設け、その内、縁側のもの２つは、有底とし棒材を固定している。尚、棒材の取り付け方法や取り付け位置等については、上述の方法の他、公知の技術を採用することも可能である。
【００１４】
ところで、これまでは、四角形の不織布及び防水性シートを採用し、それぞれの向かい合う２辺が固着する構成として説明した。しかし、本願発明のオーバーシートは、コンテナの開口部に装着するものであるから、その開口部の形状等に合わせて適宜決定するとよい。従って、固着する部位も必ずしも線状である必要はなく、縁部に数点を選んで固着してもよい。
【００１５】
また、上述の図１及び３の実施形態においては、オーバーシートの四隅に、コンテナと結び着けるための固定部材としての紐１２がそれぞれ設けられている。これは、野外で採用するため風が吹いたときに飛ばないようにするためである。本実施形態では、コンテナの網目に括るように構成されているが、このほか、ホック状のもので引っ掛けたり、公知の固定部材を採用することができる。専用のコンテナに使用する場合は、コンテナの方に、紐を通すための穴等を設けても良い。
【００１６】
図４は、本願発明の第３の実施例であって、以下に述べる三つの特徴的な構成を有している。第一に、防水性シート１３の内部に細長いポケット状の袋を設けて、その中に棒材１４を挿入している。第二に、その棒材は四角形の不織布の対角線上で湾曲する様に設けられている。第三に、防水性シートは、鳩目１５によって不織布と一体化している。そして、当該鳩目１５には、紐を通してコンテナに装着する構成になっている。本実施例は、あくまで、別なる実施形態の一例であって、それぞれの構成において、先に述べた実施例の構成と組み合わせることも可能である。また、上述の防水性シートを屋根型に形成する方法も、必ずしも棒材を採用する必要はなく、例えば、傘の原理を応用する等の技術も採用できる。
【００１７】
防水性シートは、ビニール、エチレン酢酸ビニル共重合体（ＥＶＡ）若しくはそのけん化物（ＥＶＯＨ）等、その役割を果たすもので有れば、特に素材は限定されるものではない。ただし、図１の実施例のような、当然に生じる隙間を空間とする場合は、防水性シートが自立できるよう、ある程度の強度のある防水性シートが好ましい。不織布も、防水性シートからの水滴が種芋にかからなければ、その目的を果たすので、水滴を通過させないものであればよい。ただし、不織布の孔径をあまりに小さくすと、蒸気がコンテナ内にこもってしまうので、そのような不織布は本願発明の意図するところではない。
【００１８】
【発明の効果】
本発明では、コンテナ用オーバーシートにおいて、不織布と、その不織布と空間を成すように上面に被装した防水性シートから構成したことにより、雨が降って、その後晴れても、コンテナ内に発生した蒸気によって発生する水滴が種芋に滴下せず、種芋の腐食を防ぐことが可能になった。
【００１９】
特に、防水性シートに棒材等の特定の装着部材を設けることにより、防水性シートが、屋根型に形成され、不織布との間に確実な空間が保たれることとなった。これは、降雨時に、ビニールシートに降りかかる雨滴が不織布に浸透するのを防ぐことができると共に、コンテナ内にこもった蒸気の発散を早くするという効果を有する。
【００２０】
さらに、コンテナ用オーバーシートにひも等の固定部材を設けることにより、風が吹いても当該シートが飛ばされることがない、使用勝手の良いものとなった。
【図面の簡単な説明】
【図１】本願発明の第一の実施例を示す斜視図
【図２】図１の断面斜視図
【図３】本願発明の第二の実施例を示す斜視図
【図４】本願発明の第三の実施例を示す斜視図
【図５】種芋コンテナを示す斜視図
【符号の説明】
１  不織布
２  防水性シート
３  固着部分
４  空間
５  固着線
６  不織布
７  防水性シート
８  固着線
９  空間
１０  棒材
１１  帯環
１２  紐
１３  防水性シート
１４  棒材
１５  鳩目
１６  枠
１７  網
【図１】
0003578390.tif 000002
【図２】
0003578390.tif 000003
【図３】
0003578390.tif 000004
【図４】
0003578390.tif 000005
【図５】
0003578390.tif 000006